(57)【要約】【課題】消費後の廃棄が容易で環境にやさしく、製作も安価に行える構造簡易な化粧料サンプル容器を提供する。【解決手段】紙材を高密度に圧縮してなる窓穴付き容器本体と、この容器本体の裏面に接着され、窓穴底内に接着層を露出させた紙製ベースと、容器本体の表面に装着された生分解性透明フィルムとを供えた。【選択図】図２
2006296476.tif 000002
【特許請求の範囲】
【請求項１】
紙材を高密度に圧縮してなる窓穴付き容器本体と、この容器本体の裏面に接着され、窓穴底内に接着層を露出させた紙製ベースと、容器本体の表面に装着された生分解性透明フィルムとを供えたことを特徴とする化粧料サンプル容器。
【請求項２】
容器本体が共通の紙製ベース上に複数枚隣接して接着されている請求項１に記載の化粧料サンプル容器。
【請求項３】
容器本体が間隔をあけて複数の窓穴を設けており、紙製ベースが容器本体のほぼ全面に接着されている請求項１に記載の化粧料サンプル容器。
【発明の詳細な説明】
【技術分野】
【０００１】
本発明は粉末化粧料のサンプル容器に関する。
【背景技術】
【０００２】
ファンデーション、白粉、頬紅、口紅、アイシャドウなどの粉末状化粧料においては、色合い、皮膚へのなじみ、載り具合などを宣伝したり、確かめたりすることができるように、顧客に試供品(サンプル)として提供することが行われている。
【０００３】
こうした試供品は、一般に、浅い収容部を形成した容器に少量の化粧料を装填したものとなっているが、従来のこの種のサンプル容器は、先行技術のように合成樹脂の成形体で構成されていたので、消費された後の廃棄処理に問題があり、環境に適合しがたかった。ことに、この種の容器は、２つ折り形式や冊子形式の宣伝広告媒体内に装着されて頒布されるが、広告媒体は紙製であるので、これから剥離分別して廃棄しなければならないわずらわしさがあった。
【特許文献１】特開平１１―５６４６５号公報
【特許文献２】特開２０００−１３９５５８号公報
【発明の開示】
【発明が解決しようとする課題】
【０００４】
本発明は前記のような問題点を解消するためになされたもので、その目的とするところは、消費後の廃棄が容易で環境にやさしく、製作も安価に行える構造簡易な化粧料サンプル容器を提供することにある。
【課題を解決するための手段】
【０００５】
上記目的を達成するため本発明は、紙を高密度に圧縮してなる窓穴付き容器本体と、この容器本体の裏面に接着され、窓穴底内に接着層を露出させた紙製ベースと、容器本体の表面に装着された生分解性透明フィルムとを供えたことを特徴としている。
【発明の効果】
【０００６】
本発明によるときには、容器が紙製であるため軽量であり、また、収容部底に接着層があるため化粧料の装填も容易であり化粧料が別の皿状容器に充填されている場合も、特別な接着作業を要さずに固定することができる。容器本体が高密度に圧縮してなるため化粧料が容器構成材内に浸透することがなく、しかも、化粧料の消費後は被覆部材を含めて一般生活ごみとして簡易に廃棄することができ、広告媒体内に装着されていても、いちいち分別を要さずに廃棄できるなどのすぐれた効果が得られる。
【発明を実施するための最良の形態】
【０００７】
１）容器本体が共通の紙製ベース上に複数枚隣接して接着されている。
これによれば、複数種の化粧料あるいは化粧料と塗布具を簡単に組み合わせてセットにすることができる。
２）容器本体が間隔をあけて複数の窓穴を設けており、紙製ベースが容器本体のほぼ全面に接着されている。
これによれば、単一のもので複数種の化粧料あるいは化粧料と塗布具を装填することができる。
【実施例１】
【０００８】
以下添付図面を参照して本発明の実施例を説明する。
図１と図２は本発明による化粧料サンプル容器の第１実施例を示しており、１は容器本体であり、所要厚さの紙材１００を複数枚重ね合わせプレスにて圧縮して高密度化することで構成されており、周縁部１０を残存させて所要の大きさの窓穴１１を設けている。
この窓穴１１は、予め紙材１００にあけておいて積層することで構成してもよいし、窓穴１１を設けない状態で積層した後、パンチなどで抜き加工することで得てもよい。窓穴はストレートでもよいし、テーパー状をなしていてもよい。
【０００９】
２は容器本体１とほぼ一致する面積の紙製ベースであり、表面には全体に接着層２０を有し、前記窓穴付き容器本体１の裏面に接着されている。窓穴１１の部分に接着層２０´が表出することで収容部４の底を構成しており、ここに粉末状化粧料Ａが充填されている。
３は窓穴付き容器本体１の表面を覆う透明フィルムであり、生分解性プラスチックからなっている。
【実施例２】
【００１０】
図３と図４は本発明の第２実施例を示しており、第１実施例と同じ積層紙質からなる複数の窓穴付き容器本体１Ａ，１Ｂを隣接して配置し、それらの裏面に紙製ベース２を接着層２０をもって接着することで、複数の浅い収容部４Ａ，４Ｂが構成されている。
この例では、片方の収容部４Ａに化粧料Ａが収容され、他方の収容部４Ｂにスポンジで代表される塗布具Ｂが収容されている。スポンジＢは好適には生分解性材料からなっている。
【実施例３】
【００１１】
図５は本発明の第３実施例を示しており、第１実施例と同じ積層紙質からなる大型の窓穴付き容器本体１に、間隔をあけて複数の窓穴１１Ａ，１１Ｂを設け、裏面に紙製ベース２を接着層２０をもって接着することで、複数の浅い収容部４Ａ，４Ｂが構成されるようになっている。収容部４Ａ，４Ｂには、異なる色相あるいは性質の化粧料Ａが収容されるか、化粧料Ａと塗布具とが収容される。
【００１２】
本発明の実施例の作用を説明すると、窓穴付き容器本体１は所要厚さの紙材１００を複数枚重ね合わせプレスにて圧縮して高密度化しているので、軽量でしかも剛性があり、プラスッチックシートの成形体で生じがちであったたわみが生じにくいので、化粧料の割れや飛散が起こりにくい。
化粧料の充填は、通常、図７(ａ)のように、容器本体１の裏面に、紙製ベース２を接着層２０により接合した状態で、化粧料Ａを充填圧密化し、容器本体１の表面に透明フィルム３を貼り付けることで行われる。しかし、場合によっては、図７(ｂ)のように、容器本体１の表面に透明フィルム３を貼り付けた状態で、後方から窓穴１１内に化粧料Ａを充填圧密化し、最後に紙製ベース２を窓穴付き容器本体１の裏面に接着する方法も効果的である。いずれにしても、窓穴１１に対応する位置には接着層２０´があるので、圧粉された粉末化粧料Ａの最下層が接着層２０´と接合し、安定した充填状態となる。
なお、図６のように、化粧料Ａを予め皿５に充填した場合には、予め窓穴付き容器本体１の裏面に紙製ベース２を接着しておき、皿５を収容部４、４Ａ，４Ｂに装填してもよい。収容部の底には紙製ベース２の接着層２０´が表出しているので、接着剤の塗布などの作業を要さずに、皿５をしっかりと固定することができる。
【００１３】
上記製品Ｃは、たとえば、図８のように紙製の宣伝広告媒体６の一片６０に貼りつけ、他片６１を２つ折りして重ね合わせるなどして使用に供すればよい。
そして試供されて化粧料が消費されたときには、容器本体が紙質であり、透明フィルム３が生分解性樹脂製であるため、宣伝広告媒体６と分別することなく容易に廃棄することができる。
【００１４】
なお、本発明は、交換用容器(リフィール)としても使用できる。図９はこの例を示しており、容器７の凹窪部７０に図１、図３,図５に示されるような本発明品を装填するものである。
【図面の簡単な説明】
【００１５】
【図１】本発明による化粧料サンプル容器の第１実施例を示す部分切欠斜視図である。
【図２】図１のＩＩ−ＩＩ線に沿う断面図である。
【図３】本発明の第２実施例を示す斜視図である。
【図４】第２実施例の断面図である。
【図５】本発明の第３実施例を示す分解斜視図である。
【図６】皿充填化粧料を用いた場合の部分切欠側面図である。
【図７】(ａ)、(ｂ)は化粧料直接充填の場合の説明図である。
【図８】本発明品の使用例を示す側面図である。
【図９】本発明を交換用用容器として使用した例を示す部分的断面図である。
【符号の説明】
【００１６】
１  容器本体
２  紙製ベース
３  透明フィルム
４、４Ａ，４Ｂ  収容部
１１  窓穴
２０、２０´  接着層
【図１】
2006296476.tif 000003
【図２】
2006296476.tif 000004
【図３】
2006296476.tif 000005
【図４】
2006296476.tif 000006
【図５】
2006296476.tif 000007
【図６】
2006296476.tif 000008
【図７】
2006296476.tif 000009
【図８】
2006296476.tif 000010
【図９】
2006296476.tif 000011